(57)【要約】【課題】中央部に押圧をかけるスペースを確保した状態で、複数のコネクターを保持して一体化することができるコネクターホルダーを提供する。【解決手段】複数の電線側コネクターを保持して一体化するコネクターホルダー１０であって、中央に配置された押圧部１２と、押圧部１２に対して、保持する電線側コネクターのＰＩＮの配列方向の両側に間隔をおいてそれぞれ配置された側壁部１３と、押圧部１２の下端部と列方向両側のそれぞれの側壁部１３の下端部とをそれぞれ連結す連結部として機能する下面板１４とを具備し、前押圧部１２と側壁部１３と下面板１４とで、押圧部１２の配列方向の両側に、電線側コネクターを保持する保持部１１がそれぞれ形成されている。【選択図】図１
2019192583.tif 000002
【特許請求の範囲】
【請求項１】
複数のコネクターを保持して一体化するコネクターホルダーであって、
中央に配置された押圧部と、
前記押圧部に対して、保持する前記コネクターのＰＩＮの配列方向の両側に間隔をおいてそれぞれ配置された側壁部と、
前記押圧部の下端部と列方向両側のそれぞれの前記側壁部の下端部とをそれぞれ連結す連結部と、を具備し、
前記押圧部と前記側壁部と前記連結部とで、前記押圧部の前記配列方向の両側に、前記コネクターを保持する保持部がそれぞれ形成されていることを特徴とするコネクターホルダー。
【請求項２】
前記押圧部の下端面には、相手側コネクターの接触子の一部が挿通される挿通孔が形成され、
前記保持部に保持された前記コネクターのキャビティーと前記押圧部の下端面の前記挿通孔とが、前記相手側コネクターの接触子と同じピッチで配列されることを特徴とする請求項１記載のコネクターホルダー。
【請求項３】
前記押圧部の上端面は、嵌合方向に対して垂直な平面に形成され、押圧面として機能することを特徴とする請求項１又は２記載のコネクターホルダー。
【請求項４】
前記押圧部の上端面には、前記押圧部を押圧するロボットハンドの先端が嵌り込む凹部が形成されていることを特徴とする請求項１又は２記載のコネクターホルダー。
【請求項５】
前記連結部は、前記保持部に保持された前記コネクターのキャビティーにそれぞれ対向する位置に貫通孔が形成された板状部材であることを特徴とする請求項１乃至４のいずれかに記載のコネクターホルダー。
【請求項６】
前記保持部は、前記配列方向と直交する配列直交方向に２個の前記コネクターを保持する構造であることを特徴とする請求項１乃至５のいずれかに記載のコネクターホルダー。
【請求項７】
前記押圧部の上端部における前記配列直交方向の中央部分と、配列方向両側のそれぞれの前記側壁部の上端部における前記配列直交方向の中央部分とをそれぞれ連結する連結棒を具備することを特徴とする請求項６記載のコネクターホルダー。
【発明の詳細な説明】
【技術分野】
【０００１】
本発明は、複数のコネクターを保持して一体化するコネクターホルダーに関する。
【背景技術】
【０００２】
複写機、複合機等の画像形成装置は、数多くの基板を備え、基板間や基板と他のユニット間を接続する多くの電線が使用されている。一般的に、電線は、基板側コネクターと電線側コネクターとの接続によって行われるが、近年は、多極化のコネクターが増え、一度に多数の電線が接続可能になっている。
【０００３】
電線側コネクターの多極化に際し、各々１列の接触子を有する１対のコネクターを使用して２列の接触子を有するコネクターを受容保持するコネクターホルダーが提案されている（例えば、特許文献１参照）。
【先行技術文献】
【特許文献】
【０００４】
【特許文献１】実開平０２−１０６６８８号公報
【特許文献２】特開２０１４−１２０４８３号公報
【発明の概要】
【発明が解決しようとする課題】
【０００５】
電線側コネクターが多極になるにつれて、基板側コネクターへの嵌合時に押圧が必要になる。しかし、従来技術では、コネクターの中央部に電線があるため、コネクターのサイド部に力を加えて挿入することになり、十分に押圧できないという問題点があった。
【０００６】
なお、特許文献２のように、中央部に押圧をかけるスペースがある特別な仕様のコネクターを使用すれば問題ないが、汎用のコネクターを使用することができず、高価なものになってしまう。
【０００７】
本発明は、上記問題点を鑑みてなされたものであり、その目的とするところは、中央部に押圧をかけるスペースを確保した状態で、複数のコネクターを保持して一体化することができるコネクターホルダーを提供することを目的とする。
【課題を解決するための手段】
【０００８】
本発明のコネクターホルダーは、複数のコネクターを保持して一体化するコネクターホルダーであって、中央に配置された押圧部と、前記押圧部に対して、保持する前記コネクターのＰＩＮの配列方向の両側に間隔をおいてそれぞれ配置された側壁部と、前記押圧部の下端部と列方向両側のそれぞれの前記側壁部の下端部とをそれぞれ連結す連結部と、を具備し、前記押圧部と前記側壁部と前記連結部とで、前記押圧部の前記配列方向の両側に、前記コネクターを保持する保持部がそれぞれ形成されていることを特徴とする。
【発明の効果】
【０００９】
本発明によれば、中央に配置された押圧部の配列方向の両側に、電線側コネクターを保持する保持部がそれぞれ形成されているため、中央部に押圧をかけるスペースを確保した状態で、複数の電線側コネクターを保持して一体化することができるという効果を奏する。
【図面の簡単な説明】
【００１０】
【図１】本発明に係るコネクターホルダーの第１の実施の形態の構成を示す斜視図である。
【図２】図１に示すコネクターホルダーの上面図、側面図及び下面図である。
【図３】本発明に係るコネクターホルダーの第２の実施の形態の構成を示す斜視図である。
【図４】図３に示すコネクターホルダーの上面図、側面図及び下面図である。
【図５】図１及び図３に示す押圧面に凹部を形成した例を示す図である。
【発明を実施するための形態】
【００１１】
以下、図を参照して本発明の実施の形態を詳細に説明する。なお、以下の実施の形態において、同様の機能を示す構成には、同一の符号を付してある。
【００１２】
（第１の実施の形態）
第１の実施の形態のコネクターホルダー１０は、図１及び図２を参照すると、１列９ＰＩＮの電線側コネクターを保持する保持部１１を２か所に備え、１列９ＰＩＮの電線側コネクターを２個保持して一体化することで、１列２０ＰＩＮの基板側コネクターに嵌合する電線側コネクターを構成する。なお、図２において、（ａ）はコネクターホルダー１０を嵌合方向上流側からみた上面図であり、（ｂ）はコネクターホルダー１０を嵌合方向及びＰＩＮの配列方向（以下、単に配列方向と称す）と直交する方向から見た側面図であり、（ｃ）はコネクターホルダー１０を嵌合方向下流側からみた下面図である。
【００１３】
保持部１１は、中央に配置された押圧部１２に対して、配列方向の両側にそれぞれ形成されている。
【００１４】
押圧部１２の配列方向の両側には、側壁部１３が間隔をおいてそれぞれ配置されている。そして、押圧部１２の下端部と配列方向両側のそれぞれの側壁部１３の下端部とは、基板側コネクターとの当接面となる下面板１４によってそれぞれ連結されている。これにより、押圧部１２と側壁部１３と下面板１４とで、押圧部１２の配列方向両側に保持部１１が形成される。なお、図１及び図２に示す符号１５は、強度の確保のため、押圧部１２の上端部と配列方向両側のそれぞれの側壁部１３の上端部とをそれぞれ連結する連結棒である。
【００１５】
押圧部１２、側壁部１３、下面板１４及び連結棒１５は、合成樹脂等の絶縁材料によって一体成型され、コネクターホルダー１０を構成する。
【００１６】
押圧部１２の上端面は、嵌合方向に対して垂直な平面に形成され、押圧面１２ａとして機能する。これにより、基板側コネクターに嵌合させる際に、押圧部１２の押圧面１２ａを押圧することができ、十分に押圧力を作用させることができる。なお、押圧部１２の押圧面１２ａには、保持部１１に保持する電線側コネクターに接続された電線が存在しないため、簡単に押圧部１２の押圧面１２ａを押圧することができる。また、押圧面１２ａを平面構造にすることで、ロボットの吸引式ハンドでも扱いやすくなる。
【００１７】
押圧部１２及び側壁部１３の保持部１１に対向する面には、保持する電線側コネクターの形状に応じて形成された位置決め部材１６と、保持部１１に保持した電線側コネクターに係止される係止部１７とが設けられている。
【００１８】
押圧部１２の配列方向両側にそれぞれ位置する下面板１４には、９個の貫通孔１４ａがそれぞれ形成されている。９個の貫通孔１４ａは、保持部１１に保持された電線側コネクターの１列９ＰＩＮのキャビティーにそれぞれ対向する位置に形成されている。
【００１９】
押圧部１２の下端面には、図２（ｂ）及び（ｃ）に示すように、基板側コネクターの接触子の一部が挿通される１列２個の挿通孔１２ｂが形成されている。１列２個の挿通孔１２ｂと、１列９個×２の貫通孔１４ａ（電線側コネクターのキャビティー）とは、基板側コネクターにおける１列２０ＰＩＮの接触子と同じピッチで配列されている。これにより、基板側コネクターとして１列２０ＰＩＮの汎用品を用いることができる。
【００２０】
（第２の実施の形態）
第２の実施の形態のコネクターホルダー２０は、図３及び図４を参照すると、２個の１列９ＰＩＮの電線側コネクターを保持する保持部２１を２か所に備え、１列９ＰＩＮの電線側コネクターを４個保持して一体化することで、２列４０ＰＩＮの基板側コネクターに嵌合する電線側コネクターを構成する。なお、図４において、（ａ）はコネクターホルダー２０を嵌合方向上流側からみた上面図であり、（ｂ）はコネクターホルダー２０を嵌合方向及びＰＩＮの配列方向（以下、配列方向と称す）と直交する方向から見た側面図であり、（ｃ）はコネクターホルダー２０を嵌合方向下流側からみた下面図である。
【００２１】
保持部２１は、中央に配置された押圧部２２に対して、配列方向の両側にそれぞれ形成されている。保持部２１は、配列方向と直交する方向（以下、配列直交方向と称す）に２個の電線側コネクターを保持する構造になっている。
【００２２】
押圧部２２の配列方向の両側には、側壁部２３が間隔をおいてそれぞれ配置されている。そして、押圧部２２の下端部と配列方向両側のそれぞれの側壁部２３の下端部とは、基板側コネクターとの当接面となる下面板２４によってそれぞれ連結されている。これにより、押圧部２２と側壁部２３と下面板２４とで、押圧部２２の配列方向両側に保持部２１が形成される。なお、図３及び図４に示す符号２５は、強度の確保のため、押圧部２２の上端部における配列直交方向の中央部分と、配列方向両側のそれぞれの側壁部２３の上端部における配列直交方向の中央部分とをそれぞれ連結する連結棒である。
【００２３】
押圧部２２、側壁部２３、下面板２４及び連結棒２５は、合成樹脂等の絶縁材料によって一体成型され、コネクターホルダー２０を構成する。
【００２４】
押圧部２２の上端面は、嵌合方向に対して垂直な平面に形成され、押圧面２２ａとして機能する。そして、押圧部２２は、押圧面２２ａに作用した押圧力がロスすることなく下端まで伝達されるように、上端から下端まで上下方向に連なる一体構造で構成されている。これにより、基板側コネクターに嵌合させる際に、押圧部２２の押圧面２２ａを押圧することができ、十分に押圧力を作用させることができる。なお、押圧部１２の押圧面２２ａには、保持部１１に保持する電線側コネクターに接続された電線が存在しないため、簡単に押圧部１２の押圧面２２ａを押圧することができる。また、押圧面２２ａを平面構造にすることで、ロボットの吸引式ハンドでも扱いやすくなる。
【００２５】
押圧部２２及び側壁部２３の保持部２１に対向する面には、保持する電線側コネクターの形状に応じて形成された位置決め部材２６と、保持部１１に保持した電線側コネクターに係止される係止部２７とが設けられている。
【００２６】
押圧部２２の配列方向両側にそれぞれ位置する下面板２４には、２列１８個の貫通孔１４ａがそれぞれ形成されている。２列１８個の貫通孔１４ａは、保持部２１に保持された２個の電線側コネクターの２列９ＰＩＮのキャビティーにそれぞれ対向する位置に形成されている。
【００２７】
押圧部２２の下端面には、図４（ｂ）及び（ｃ）に示すように、基板側コネクターの接触子が一部が挿通される２列４個の挿通孔２２ｂが形成されている。２列４個の挿通孔１２ｂと、２列１８個×２の貫通孔１４ａ（電線側コネクターのキャビティー）とは、基板側コネクターにおける２列４０ＰＩＮの接触子と同じピッチで配列されている。これにより、基板側コネクターとして２列４０ＰＩＮの汎用品を用いることができる。
【００２８】
なお、上述の実施の形態では、押圧面１２ａ、２２ａを平面で構成したが、図５に示すように、押圧面１２ａ、２２ａに凹部３０を形成しても良い。凹部３０は、押圧部１２、２２を押圧するロボットハンド４０の先端が嵌り込む形状に形成される。例えば、図５に示すように、ロボットハンド４０の先端が球体である場合には、凹部３０は、半球状や球欠状に形成する。これにより、ロボットハンド４０の位置が多少ズレていても、先端が傾斜によって凹部３０に誘導され、ロボットハンド４０によって正確な位置で押圧面１２ａ、２２ａを押圧することができる。
【００２９】
以上説明したように、本実施の形態によれば、複数の電線側コネクターを保持して一体化するコネクターホルダー１０、２０であって、中央に配置された押圧部１２、２２と、押圧部１２、２２に対して、保持する電線側コネクターのＰＩＮの配列方向の両側に間隔をおいてそれぞれ配置された側壁部１３、２３と、押圧部１２、２２の下端部と列方向両側のそれぞれの側壁部１３、２３の下端部とをそれぞれ連結す連結部として機能する下面板１４、２４と、を具備し、前押圧部１２、２２と側壁部１３、２３と下面板１４、２４とで、押圧部１２、２２の配列方向の両側に、電線側コネクターを保持する保持部１１、２１がそれぞれ形成されている。
この構成により、中央に配置された押圧部１２、２２の配列方向の両側に、電線側コネクターを保持する保持部１１、２１がそれぞれ形成されているため、中央部に押圧をかけるスペースを確保した状態で、複数の電線側コネクターを保持して一体化することができる。
【００３０】
さらに、本実施の形態において、押圧部１２、２２の下端面には、相手側コネクターである基板側コネクターの接触子の一部が挿通される挿通孔１２ｂ、２２ｂが形成され、保持部１１、２１に保持された電線側コネクターのキャビティーと押圧部１２、２２の下端面の挿通孔１２ｂ、２２ｂとが、基板側コネクターの接触子と同じピッチで配列される。
この構成により、基板側コネクターとして特別な仕様のものを用いる必要がなく、汎用品を使用することができる。
【００３１】
さらに、本実施の形態において、押圧部１２、２２の上端面は、嵌合方向に対して垂直な平面に形成され、押圧面１２ａ、２２ａとして機能する。
この構成により、十分な押圧力を作用させることができる。
【００３２】
さらに、本実施の形態において、押圧部１２、２２の上端面には、押圧部１２、２２を押圧するロボットハンド４０の先端が嵌り込む凹部３０が形成されている。
この構成により、ロボットハンド４０の位置が多少ズレていても、先端が傾斜によって凹部３０に誘導され、ロボットハンド４０によって正確な位置で押圧面１２ａ、２２ａを押圧することができる。
【００３３】
さらに、本実施の形態において、板状部材である下面板１４、２４には、保持部１１、２１部に保持された電線側コネクターのキャビティーにそれぞれ対向する位置に貫通孔１４ａ、２１ａが形成されている。
この構成により、基板側コネクターの接触子を電線側コネクターのキャビティーに導くことができる。
【００３４】
さらに、本実施の形態において、保持部２１は、配列方向と直交する配列直交方向に２個の電線側コネクターを保持する構造である。
この構成により、２列複数ＰＩＮの基板側コネクターに嵌合する電線側コネクターを構成することができる。
【００３５】
さらに、本実施の形態において、押圧部２２の上端部における配列直交方向の中央部分と、配列方向両側のそれぞれの側壁部２３の上端部における配列直交方向の中央部分とをそれぞれ連結する連結棒２５を備えている。
この構成により、２列複数ＰＩＮの基板側コネクターに嵌合する電線側コネクターを構成しても、簡単な構成で保持部２５の強度を確保することができる。
【００３６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００３７】
１０  コネクターホルダー
１１  保持部
１２  押圧部
１２ａ  押圧面
１２ｂ  挿通孔
１３  側壁部
１４  下面板
１４ａ  貫通孔
１５  連結棒
１６  位置決め部材
１７  係止部
２０  コネクターホルダー
２１  保持部
２２  押圧部
２２ａ  押圧面
２２ｂ  挿通孔
２３  側壁部
２４  下面板
２４ａ  貫通孔
２５  連結棒
２６  位置決め部材
２７  係止部
３０  凹部
４０  ロボットハンド
【図１】
2019192583.tif 000003
【図２】
2019192583.tif 000004
【図３】
2019192583.tif 000005
【図４】
2019192583.tif 000006
【図５】
2019192583.tif 000007